【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
患者の視覚系を治療するためのシステムであって、前記システムは、
治療過程中にヒトに刺激を提示するようになっている個別に駆動可能な発光素子のアレイを有する表示装置と、
視野の視野測定に基づく表示を受け取って前記視野の特定の領域に一連の刺激を分配するようになっている分配装置と、
前記分配装置の前記分配に従って表示素子を駆動するためのアクチュエータと、
を備え、
前記分配装置は、前記視野の中心により近い前記視野領域により高い割合の刺激を分配する、
システム。
【請求項２】
前記アクチュエータは、前記ヒトに固視刺激を提示する、請求項１に記載のシステム。
【請求項３】
前記刺激に対する前記ヒトの応答を記録するための手段をさらに備える、請求項１に記載のシステム。
【請求項４】
前記刺激に対する前記ヒトの応答の前記記録を用いて刺激をさらに割り当てるための手段をさらに備える、請求項３に記載のシステム。
【請求項５】
所与の視野位置に対する経時的な前記応答の変化を用いて刺激をさらに割り当てるための手段をさらに備える、請求項４に記載のシステム。
【請求項６】
対応する前記ヒトの視野の前記中心からの距離と共に増大する前記提示刺激の標的網膜領域を増大させるための手段をさらに備える、請求項１に記載のシステム。
【請求項７】
前記素子のサブセットの標的となる前記網膜領域は、周辺視野領域を標的とするためにより大きい刺激を、中心視野領域を標的とするためにより小さいサブセットを選択することにより、対応する前記ヒトの視野の前記中心からの距離と共に増大する関係となる、請求項６に記載のシステム。
【請求項８】
患者の視覚系を治療するためのシステムであって、前記システムは、
治療過程中にヒトに刺激を提示するようになっている個別に駆動可能な発光素子のアレイを有する表示装置と、
視野の視野測定に基づく表示を受け取って前記視野を有する特定の領域に一連の刺激を分配するようになっている分配装置と、
前記分配装置の前記分配に従って表示素子を駆動するためのアクチュエータと、
を備え、
前記分配装置は、前記視野の視野測定に基づく表示を用いて少なくとも一次ゾーン、二次ゾーン、および残余ゾーンを画定することによって分配し、前記残余ゾーンは、前記他の画定されたゾーンの外側にある視野部分を含む、
システム。
【請求項９】
前記二次ゾーン又は前記残余ゾーンに対するよりも多数の刺激を前記一次ゾーンに対して提示するための手段をさらに備える、請求項８に記載のシステム。
【請求項１０】
治療過程の間に、前記二次ゾーンまたは前記残余ゾーンに対するよりも多数の刺激を前記一次ゾーンに対して提示し、かつ前記残余ゾーンに対するよりも多数の刺激を前記二次ゾーンに対して提示するための手段をさらに備える、請求項８に記載のシステム。
【請求項１１】
前記残余ゾーンに提示される刺激の数は非ゼロである、請求項８に記載のシステム。
【請求項１２】
前記刺激に対する前記ヒトの応答を記録するための手段をさらに備える、請求項８に記載のシステム。
【請求項１３】
前記刺激に対する前記ヒトの応答の前記記録を用いて前記一次ゾーンと前記二次ゾーンのうちの１つを再画定するための手段をさらに備える、請求項１２に記載のシステム。
【請求項１４】
前記一次ゾーンと前記二次ゾーンのうちの１つを再画定するための所与の視野位置に対する経時的な前記応答の変化の使用をさらに含む、請求項１３に記載のシステム。
【請求項１５】
前記ゾーンを自動的に再画定するための手段をさらに備える、請求項８に記載のシステム。
【請求項１６】
前記刺激の標的となる網膜領域を対応する前記ヒトの視野の中心からの距離と共に増大させるための手段をさらに備える、請求項８に記載のシステム。
【請求項１７】
周辺視野領域を標的とするためにより大きい刺激を、中心視野領域を標的とするためにより小さい刺激を選択するための手段をさらに備える、請求項１６に記載のシステム。
【請求項１８】
患者の視覚系を治療するためのシステムであって、前記システムは、
治療過程中にヒトに刺激を提示するようになっている個別に駆動可能な発光素子のアレイを有する表示装置と、
視野の視野測定に基づく表示を受け取って前記視野を有する特定の領域に一連の刺激を分配するようになっている分配装置と、
前記分配装置の前記分配に従って表示素子を駆動するためのアクチュエータと、
を備え、
前記分配装置は、前記視野の視野測定に基づく表示を用いて、盲目ゾーンおよび非損傷ゾーンに隣接する遷移ゾーンを画定し、中心視野に偏らせて刺激を前記遷移ゾーンに分配する、
システム。
【請求項１９】
前記刺激に対するヒトの応答を記録するための手段をさらに備える、請求項１８に記載のシステム。
【請求項２０】
前記刺激に対する前記ヒトの応答の前記記録を用いて前記遷移ゾーンを更新するための手段をさらに備える、請求項１９に記載のシステム。
【請求項２１】
所与の視野位置に対する経時的な前記応答の変化を用いて前記遷移ゾーンを更新するための手段をさらに備える、請求項２０に記載のシステム。
【請求項２２】
前記遷移ゾーンを自動的に再画定するための手段をさらに備える、請求項２０に記載のシステム。
【請求項２３】
中心部分を有する視野を特徴とするヒトの視覚系を治療するためのシステムであって、前記システムは、
（ａ）一組の個別に駆動可能な素子を有するコンピュータ駆動発光アレイに近接して前記ヒトを配置するための手段と、
（ｂ）前記視野の視野測定に基づく表示を用いて前記中心視野に偏った刺激配分を選択するための手段と、
（ｃ）前記刺激配分に基づいて前記一組の個別に駆動可能な素子から駆動可能な素子のサブセットを選択するための手段と、
（ｄ）前記素子のサブセットを駆動して前記ヒトの視野の特定の領域に向けられた光刺激を放射するための手段と、
を備える、システム。
【請求項２４】
前記ヒトに固視刺激を提示するための手段をさらに備える、請求項２３に記載のシステム。
【請求項２５】
所与の数のサイクルにわたってステップ（ｃ）および（ｄ）を反復するための手段をさらに備える、請求項２３に記載のシステム。
【請求項２６】
（ｅ）前記刺激に対する前記ヒトの応答を記録するための手段をさらに備える請求項２３に記載のシステム。
【請求項２７】
所与の数のサイクルにわたってステップ（ｃ）、（ｄ）および（ｅ）を反復するための手段をさらに備える、請求項２６に記載のシステム。
【請求項２８】
前記刺激に対する前記ヒトの応答の前記記録を用いて前記配分を更新するための手段をさらに備える、請求項２７に記載のシステム。
【請求項２９】
所与の視野位置に対する経時的な前記応答の変化をさらに用い、前記刺激に対する前記ヒトの応答の前記記録を用いて前記配分を更新するための手段をさらに備える、請求項２８に記載のシステム。
【請求項３０】
前記配分を自動的に更新するための手段をさらに備える、請求項２８に記載のシステム。
【請求項３１】
前記サブセットは、単一の駆動可能な素子を含む、請求項２３に記載のシステム。
【請求項３２】
前記個別に駆動可能な素子は、コンピュータディスプレイの画素を含む、請求項２３に記載のシステム。
【請求項３３】
対応する前記ヒトの視野の前記中心からの距離と共に前記素子のサブセットの標的となる網膜領域を増大させるための手段をさらに備える、請求項２３に記載のシステム。
【請求項３４】
前記網膜領域は、周辺視野領域を標的とするためにより大きいサブセットを、中心視野領域を標的とするためにより小さいサブセットを選択することにより、対応する前記ヒトの視野の前記中心からの距離と共に増大する関係で前記素子のサブセットの標的となる、請求項３３に記載のシステム。
【請求項３５】
中心部分を有する視野を特徴とするヒトの視覚系を治療するためのシステムであって、前記システムは、
（ａ）前記視野の視野測定に基づく表示を用いて少なくとも一次ゾーン、二次ゾーン、および残余ゾーンを画定するための手段であって、前記残余ゾーンは、前記他の画定されたゾーンの外側にある視野部分を含む、手段と、
（ｂ）一組の駆動可能な素子を有するコンピュータ駆動発光アレイに近接して前記ヒトを配置するための手段と、
（ｃ）前記一組の個別に駆動可能な素子から駆動可能な素子のサブセットを選択するための手段と、
（ｄ）前記素子のサブセットを駆動して前記ヒトの視野の特定の領域に向けられた光刺激を放射するための手段と、
を備え、
前記駆動可能な素子の前記選択は、前記一次ゾーンを優先した分配の偏りの付与を含む、
システム。
【請求項３６】
前記二次ゾーン又は前記残余ゾーンに対するよりも多数の刺激を前記一次ゾーンに対して提示するように、前記治療セッションの過程の間、少なくともステップ（ｃ）および（ｄ）を反復するための手段をさらに備える、請求項３５に記載のシステム。
【請求項３７】
前記二次ゾーンまたは前記残余ゾーンに対するよりも多数の刺激を前記一次ゾーンに対して提示し、かつ前記残余ゾーンに対するよりも多数の刺激を前記二次ゾーンに対して提示するように、前記治療セッションの過程の間、少なくともステップ（ｃ）および（ｄ）を反復するための手段をさらに備える、請求項３６に記載のシステム。
【請求項３８】
前記残余ゾーンに提示される前記刺激の数は非ゼロである、請求項３７に記載のシステム。
【請求項３９】
（ｅ）前記刺激に対する前記ヒトの応答を記録するための手段をさらに備える、請求項３５に記載のシステム。
【請求項４０】
所与の数のサイクルにわたってステップ（ｃ）、（ｄ）および（ｅ）を反復するための手段をさらに備える、請求項３９に記載のシステム。
【請求項４１】
前記刺激に対する前記ヒトの応答の前記記録を用いて前記一次ゾーンと前記二次ゾーンのうちの１つを再画定するための手段をさらに備える、請求項３９に記載のシステム。
【請求項４２】
前記刺激に対する前記ヒトの応答の前記記録を用いて再画定するステップは、所与の視野位置に対する経時的な前記応答の変化を用いるステップをさらに含む、請求項４１に記載のシステム。
【請求項４３】
前記ゾーンを自動的に再画定するための手段をさらに備える、請求項４１に記載のシステム。
【請求項４４】
前記サブセットは、単一の駆動可能な素子を含む、請求項３９に記載のシステム。
【請求項４５】
前記素子のサブセットの標的となる網膜領域は、対応する前記ヒトの視野の前記中心からの距離と共に増大する、請求項３５に記載のシステム。
【請求項４６】
前記素子のサブセットの標的となる前記網膜領域は、周辺視野領域を標的とするためにより大きいサブセットを、中心視野領域を標的とするためにより小さいサブセットを選択することにより、対応する前記ヒトの視野の前記中心からの距離と共に増大する関係となる、請求項４５に記載のシステム。
【請求項４７】
中心部分を有する視野を特徴とするヒトの視覚系を治療するためのシステムであって、前記システムは、
（ａ）前記視野の視野測定に基づく表示を用いて盲目ゾーンおよび非損傷ゾーンに隣接する遷移ゾーンを画定するための手段と、
（ｂ）一組の駆動可能な素子を有するコンピュータ駆動発光アレイに近接して前記ヒトを配置するための手段と、
（ｃ）前記一組の個別に駆動可能な素子から駆動可能な素子のサブセットを選択するための手段と、
（ｄ）前記素子のサブセットを駆動して前記ヒトの視野の前記遷移ゾーンに向けられた光刺激を放射するための手段と、
（ｅ）ステップ（ｃ）および（ｄ）を反復して治療過程を達成するための手段と、
を備え、
前記選択は、中心視野領域に対する偏りを含む、
システム。
【請求項４８】
前記刺激に対する前記ヒトの応答を記録するための手段をさらに含む、請求項４７に記載のシステム。
【請求項４９】
前記刺激に対する前記ヒトの応答の前記記録を用いて前記遷移ゾーンの前記画定を更新するための手段をさらに含む、請求項４８に記載のシステム。
【請求項５０】
前記遷移ゾーンの前記画定の更新は、所与の視野位置に対する経時的な前記応答の変化を用いることを含む、請求項４９に記載のシステム。
【請求項５１】
前記ゾーンを自動的に再画定するための手段をさらに含む、請求項４９に記載のシステム。